(57)【要約】【課題】光ファイバケーブルの脱抜および断線を検出して、発光素子の発光を停止できるようにする。【解決手段】光通信装置２と光通信装置３は光ファイバケーブル４で接続される。光ファイバケーブル４には通電線５と通電線６を備え、光通信装置２に備えた出力側通電回路７と光通信装置３に備えた入力側通電回路８を接続して、検出回路９を構成する。光通信装置２は検出回路９の通電状態を監視するモニタ１５と、レーザダイオード１６を制御する出力制御部１７を備える。光通信装置２から光ファイバケーブル４が脱抜した場合、光通信装置３から光ファイバケーブル４が脱抜した場合、および光ファイバケーブル４が断線した場合のいずれも、出力側通電回路７と入力側通電回路８が切り離されることで、モニタ１５で監視する通電状態が変化する。よって、モニタ１５で通電状態の変化を検出すると、出力制御部１７はレーザダイオード１６の発光を停止する。【選択図】        図１
2004350155.tif 000002
【特許請求の範囲】
【請求項１】
光信号の発光手段を有する光通信装置と光信号の受光手段を有する光通信装置を、前記各光通信装置に対して着脱自在な光ケーブルで接続した光通信システムにおいて、
前記光ケーブルに装置間通電手段を備えるとともに、前記各光通信装置に前記装置間通電手段と接続される内部通電手段を備えて、前記光ケーブルと前記各光通信装置が接続されることで、前記内部通電手段同士が前記装置間通電手段を介して接続された検出回路を構成し、
前記検出回路の通電状態を監視する監視手段および前記監視手段の監視結果に基づいて前記発光手段の出力を制御する制御手段を、前記発光手段を有する光通信装置に備えた
ことを特徴とする光通信システム。
【請求項２】
前記発光手段はレーザダイオードで、前記監視手段が前記検出回路の通電状態の変化を検出すると、前記制御手段は前記発光手段の発光を停止する
ことを特徴とする請求項１記載の光通信システム。
【請求項３】
前記発光手段はレーザダイオードで、前記監視手段が前記検出回路の通電状態の変化を検出すると、前記制御手段は前記発光手段の発光量を抑制する
ことを特徴とする請求項１記載の光通信システム。
【請求項４】
前記各光通信装置は、前記発光手段と前記受光手段の両方を備え、前記光ケーブルは、光信号を伝搬する１本のファイバ芯線を備えて、
一方の前記光通信装置の前記発光手段からの信号光と他方の前記光通信装置の前記発光手段からの信号光を同一のファイバ芯線で伝搬する
ことを特徴とする請求項１記載の光通信システム。
【請求項５】
前記各光通信装置は、前記発光手段と前記受光手段の両方を備え、前記光ケーブルは、一対の発光手段と受光手段に対して１本のファイバ芯線を備えて、
一方の前記光通信装置の前記発光手段からの信号光と他方の前記光通信装置の前記発光手段からの信号光を異なるファイバ芯線で伝搬する
ことを特徴とする請求項１記載の光通信システム。
【請求項６】
光信号の発光手段と受光手段のうち、少なくとも前記発光手段を備え、前記発光手段からの信号光が入射される光ケーブルが着脱自在に接続される光通信装置において、
前記光ケーブルに設けられる装置間通電手段と接続し、前記光ケーブルの他方に接続される相手方の装置との間で前記装置間通電手段を介して検出回路を構成する内部通電手段と、
前記検出回路の通電状態を監視する監視手段と、
前記監視手段の監視結果に応じて前記発光手段の出力を制御する制御手段と
を備えたことを特徴とする光通信装置。
【請求項７】
前記発光手段はレーザダイオードで、前記監視手段が前記検出回路の通電状態の変化を検出すると、前記制御手段は前記発光手段の発光を停止する
ことを特徴とする請求項６記載の光通信装置。
【請求項８】
前記発光手段はレーザダイオードで、前記監視手段が前記検出回路の通電状態の変化を検出すると、前記制御手段は前記発光手段の発光量を抑制する
ことを特徴とする請求項６記載の光通信装置。
【請求項９】
光信号の受光手段を備え、前記受光手段へ入射する信号光を出力する光ケーブルが着脱自在に接続される光通信装置において、
前記光ケーブルに設けられる装置間通電手段と接続し、前記光ケーブルの他方に接続される相手方の装置との間で前記装置間通電手段を介して検出回路を構成する内部通電手段を備えた
ことを特徴とする光通信装置。
【請求項１０】
光信号の発光手段を有する光通信装置と光信号の受光手段を有する光通信装置との間を接続する光ケーブルにおいて、
光信号を伝搬する少なくとも１本のファイバ芯線と、
前記ファイバ芯線の一方の端部側と他方の端部側に設けられ、前記各光通信装置に対して着脱自在な着脱手段と、
一方の前記着脱手段と他方の前記着脱手段の間を接続する装置間通電手段とを備え、
前記装置間通電手段を前記各光通信装置に設けられる内部通電手段と接続し、前記各光通信装置の間で検出回路を構成する
ことを特徴とする光ケーブル。
【請求項１１】
前記装置間通電手段は複数本の通電線から構成され、前記通電線は前記ファイバ芯線を被覆する被覆材の内部に設けられる
ことを特徴とする請求項１０記載の光ケーブル。
【請求項１２】
前記装置間通電手段は複数本の通電線から構成され、前記通電線は前記ファイバ芯線を被覆する被覆材の表面に設けられる
ことを特徴とする請求項１０記載の光ケーブル。
【発明の詳細な説明】
【０００１】
【発明の属する技術分野】
本発明は、光ケーブルで光通信装置同士を接続した光通信システムおよびこの光通信システムを構成する光通信装置と光ケーブルに関する。詳しくは、一方の光通信装置と他方の光通信装置との間を接続する光ケーブルを利用して、光通信装置間を電気的に通電させた検出回路を形成することで、光ケーブルが一方の光通信装置から脱抜した場合、光ケーブルが他方の光通信装置から脱抜した場合、および光ケーブルが断線した場合のいずれの状態も検出できるようにして、光通信装置からの発光を停止あるいは抑制できるようにしたものである。
【０００２】
【従来の技術】
光信号を出力する発光素子と光信号を入力する受光素子を備えた光通信装置の間を光ファイバケーブルで接続して、光通信を行うシステムでは、光ファイバケーブルは光通信装置に対して着脱自在な構成となっている。
【０００３】
光通信装置では、例えば、装置の電源が投入されている間は、発光素子は発光させている。このため、光ファイバケーブルが接続されていない場合も、光通信装置では発光素子は発光している。
【０００４】
そこで、光ファイバケーブルが接続されていない場合は、発光素子の発光を停止させて、消費電力の低減を図る技術が開示されている（例えば、特許文献１参照。）。
【０００５】
図１９は光ケーブルが接続されていないときに発光素子の発光を停止させることができる構成を組み込んだ従来の光通信システムの構成例を示す概念図である。
【０００６】
従来の光通信システム１０１は、図１９（ａ）に示すように、光通信装置１０２と光通信装置１０３を光ファイバケーブル１０４で接続した構成である。一方の光通信装置１０２にはレーザダイオード等の発光素子１０５を備える。また、他方の光通信装置１０３にはフォトダイオード等の受光素子１０６を備える。
【０００７】
光ファイバケーブル１０４は両端にプラグ１０７を備えて、光通信装置１０２および光通信装置１０３に対して着脱自在となっている。発光素子１０５を備えた光通信装置１０２には、このプラグ１０７の接続の有無を検出する検出回路１０８を備える。この検出回路１０８は、プラグ１０７の接続の有無で例えば通電状態と非通電状態が切り替わるように構成される。そして、検出回路１０８の通電状態を監視するモニタ１０９を備え、このモニタ１０９の監視結果に応じて、図示しない制御系が発光素子１０５の発光を制御する。
【０００８】
上述した従来の光通信システム１０１では、図１９（ｂ）に示すように、光通信装置１０２から光ファイバケーブル１０４が脱抜した場合は、検出回路１０８が例えば通電状態から非通電状態に変化し、この状態の変化がモニタ１０９で検出されることで、発光素子１０５の発光を停止することができる。
【０００９】
これに対して、図１９（ｃ）に示すように、光通信装置１０３から光ファイバケーブル１０４が脱抜した場合、あるいは図１９（ｄ）に示すように光ファイバケーブル１０４が断線した場合は、検出回路１０８の通電状態は変化しないので、発光素子１０５の発光を停止させることはできない。
【００１０】
図２０は双方向通信を実現した従来の光通信システムの構成例を示す概念図である。この従来の光通信システム１１１は一芯双方向光通信を実現したものであり、図２０（ａ）に示すように、光通信装置１１２と光通信装置１１３を光ファイバケーブル１１４で接続した構成である。一方の光通信装置１１２にはレーザダイオード等の発光素子１１５ａとフォトダイオード等の受光素子１１６ａを備える。また、他方の光通信装置１１３にはレーザダイオード等の発光素子１１５ｂとフォトダイオード等の受光素子１１６ｂを備える。
【００１１】
光ファイバケーブル１１４は両端にプラグ１１７を備えて、光通信装置１１２および光通信装置１１３に対して着脱自在となっている。光通信装置１１２には、このプラグ１１７の接続の有無を検出する検出回路１１８ａを備える。この検出回路１１８ａは、プラグ１１７の接続の有無で例えば通電状態と非通電状態が切り替わるように構成される。そして、検出回路１１８ａの通電状態を監視するモニタ１１９ａを備え、このモニタ１１９ａの監視結果に応じて、図示しない制御系が発光素子１１５ａの発光を制御する。
【００１２】
また、光通信装置１１３には、プラグ１１７の接続の有無を検出する検出回路１１８ｂを備える。この検出回路１１８ｂは、プラグ１１７の接続の有無で例えば通電状態と非通電状態が切り替わるように構成される。そして、検出回路１１８ｂの通電状態を監視するモニタ１１９ｂを備え、このモニタ１１９ｂの監視結果に応じて、図示しない制御系が発光素子１１５ｂの発光を制御する。
【００１３】
上述した従来の光通信システム１１１では、図２０（ｂ）に示すように、光通信装置１１２から光ファイバケーブル１１４が脱抜した場合は、検出回路１１８ａが例えば通電状態から非通電状態に変化し、この状態の変化がモニタ１１９ａで検出されることで、発光素子１１５ａの発光を停止することができる。
【００１４】
しかしながら、光ファイバケーブル１１４が接続されている光通信装置１１３側の検出回路１１８ｂの通電状態は変化しないので、発光素子１１５ｂの発光を停止させることはできない。図示しないが、光通信装置１１３から光ファイバケーブル１１４が脱抜した場合も同様である。
【００１５】
さらに、図２０（ｃ）に示すように、光ファイバケーブル１１４が断線した場合は、光通信装置１１２の検出回路１１８ａと光通信装置１１３の検出回路１１８ｂのいずれの通電状態も変化しないので、発光素子１１５ａおよび発光素子１１５ｂの発光を停止させることはできない。
【００１６】
【特許文献１】
特開２０００−３４０３０６号公報
【００１７】
【発明が解決しようとする課題】
上述したように、従来の光通信システムでは、発光素子を備えた光通信装置自身から光ファイバケーブルが脱抜した場合は、これを検出して発光素子の発光を停止させることができる。しかしながら、相手方の光通信装置側で光ファイバケーブルが脱抜した場合や、光ファイバケーブルが断線した場合は、これを検出できない。これにより、相手方の光通信装置側で光ファイバケーブルが脱抜した場合や、光ファイバケーブルが断線した場合は、発光素子の発光を停止させることができないという問題があった。
【００１８】
本発明は、このような課題を解決するためになされたもので、光ファイバケーブルの脱抜や断線を検出して、光通信装置からの発光を制御できるようにした光通信システム、光通信装置および光ケーブルを提供することを目的とする。
【００１９】
【課題を解決するための手段】
上述した課題を解決するため、本発明に係る光通信システムは、光信号の発光手段を有する光通信装置と光信号の受光手段を有する光通信装置を、各光通信装置に対して着脱自在な光ケーブルで接続した光通信システムにおいて、光ケーブルに装置間通電手段を備えるとともに、各光通信装置に装置間通電手段と接続される内部通電手段を備えて、光ケーブルと各光通信装置が接続されることで、内部通電手段同士が装置間通電手段を介して接続された検出回路を構成し、この検出回路の通電状態を監視する監視手段およびこの監視手段の監視結果に基づいて発光手段の出力を制御する制御手段を、発光手段を有する光通信装置に備えたものである。
【００２０】
本発明に係る光通信装置は、上述した光通信システムを構成するものである。すなわち、光信号の発光手段と受光手段のうち、少なくとも発光手段を備え、この発光手段からの信号光が入射される光ケーブルが着脱自在に接続される光通信装置において、光ケーブルに設けられる装置間通電手段と接続し、光ケーブルの他方に接続される相手方の光通信装置との間で装置間通電手段を介して検出回路を構成する内部通電手段と、検出回路の通電状態を監視する監視手段と、監視手段の監視結果に応じて発光手段の出力を制御する制御手段とを備えたものである。
【００２１】
また、本発明に係る光通信装置は、光信号の受光手段を備え、この受光手段へ入射する信号光を出力する光ケーブルが着脱自在に接続される光通信装置において、光ケーブルに設けられる装置間通電手段と接続し、光ケーブルの他方に接続される相手方の光通信装置との間で装置間通電手段を介して検出回路を構成する内部通電手段を備えたものである。
【００２２】
さらに、本発明に係る光ケーブルは、上述した光通信システムを構成するものであり、光信号の発光手段を有する光通信装置と光信号の受光手段を有する光通信装置との間を接続する光ケーブルにおいて、光信号を伝搬する少なくとも１本のファイバ芯線と、このファイバ芯線の一方の端部側と他方の端部側に設けられ、各光通信装置に対して着脱自在な着脱手段と、一方の着脱手段と他方の着脱手段の間を接続する装置間通電手段とを備え、装置間通電手段を各光通信装置に設けられる内部通電手段と接続し、各光通信装置の間で検出回路を構成するものである。
【００２３】
本発明に係る光通信システム、光通信装置および光ケーブルによれば、光信号の発光手段を有する光通信装置と光信号の受信手段を有する光通信装置を光ケーブルで接続すると、一方の光通信装置の発光手段から出力した信号光を光ケーブルで伝搬して、他方の光通信装置の受光手段に入力することができる。
【００２４】
また、光通信装置同士を光ケーブルで接続すると、一方の光通信装置の内部通電手段と他方の光通信装置の内部通電手段が光ケーブルの装置間通電手段と接続する。これにより、内部通電手段同士が装置間通電手段を介して電気的に接続される検出回路が構成される。そして、発光手段を有して光信号を出力する側の光通信装置では、監視手段で検出回路の通電状態を監視する。
【００２５】
発光手段を有する側の光通信装置から光ケーブルが脱抜すると、監視手段で監視している検出回路から、受光手段を有する側の光通信装置の内部通電手段が切り離される形態となる。
【００２６】
検出回路から内部通電手段が切り離されると、検出回路の通電状態が変化する。この通電状態の変化を監視手段が検出すると、制御信号は発光手段の出力を制御する。
【００２７】
受光手段を有する光通信装置から光ケーブルが脱抜した場合も、監視手段で監視している検出回路から、この受光手段を有する光通信装置の内部通電手段が切り離される形態となる。同様に、光ケーブルが断線した場合も、監視手段で監視している検出回路から、受光手段を有する光通信装置の内部通電手段が切り離される。そして、検出回路から内部通電手段が切り離されることで、通電状態の変化を監視手段が検出すると、制御信号は発光手段の出力を制御する。
【００２８】
これにより、発光手段を有する光通信装置で監視手段により検出回路の通電状態を監視することで、光信号を出力する側である自身の光通信装置から光ケーブルが脱抜したことのみならず、光信号を入力する側の光通信装置から光ケーブルが脱抜したこと、および光ケーブルが断線したことを検出できる。
【００２９】
したがって、光信号を出力する側の光通信装置から光ケーブルが脱抜した場合だけでなく、光信号を入力する側の光通信装置から光ケーブルが脱抜した場合や光ケーブルが断線した場合も、発光手段の出力を制御して、例えば発光の停止あるいは発光量を抑制することができる。
【００３０】
【発明の実施の形態】
以下、図面を参照して本発明の光通信システム、光通信装置および光ファイバケーブルの実施の形態について説明する。図１は第１の実施の形態の光通信システムの構成例を示す概念図、図２は第１の実施の形態の光通信システムを構成する光通信装置の構成例を示す概念図、図３は第１の実施の形態の光通信システムを構成する光ファイバケーブルの構成例を示す概念図である。
【００３１】
第１の実施の形態の光通信システム１は、光通信装置２と光通信装置３を光ファイバケーブル４で接続して、単向光通信を実現する構成である。光ファイバケーブル４は光ケーブルの一例で、図３に示すように、光信号が伝搬される光ファイバ芯線４ａと、この光ファイバ芯線４ａを保護する被覆材４ｂとを有する。光ファイバケーブル４は、この光ファイバ芯線４ａに沿って２本の通電線５と通電線６を備える。通電線５と通電線６は装置間通電手段の一例で、光ファイバケーブル４で接続された光通信装置２と光通信装置３との間を電気的に接続する。
【００３２】
光通信装置２には、通電線５および通電線６と接続する出力側通電回路７を備える。また、光通信装置３には、通電線５および通電線６と接続する入力側通電回路８を備える。出力側通電回路７と入力側通電回路８は内部通電手段の一例で、これら出力側通電回路７と入力側通電回路８および通電線５と通電線６により図１に示すように検出回路９が構成される。
【００３３】
ここで、光ファイバケーブル４は光通信装置２および光通信装置３に対して着脱自在であり、光通信装置２と光通信装置３を光ファイバケーブル４で接続したときに、検出回路９が構成されるようになっている。
【００３４】
具体的には、図３に示すように、光ファイバケーブル４の一方の端部にプラグ１０ａを備え、他方の端部にプラグ１０ｂを備える。これらプラグ１０ａおよびプラグ１０ｂは着脱手段の一例である。以下の説明では、プラグ１０ａが光通信装置２と接続される側とし、プラグ１０ｂが光通信装置３と接続される側とする。ここで、プラグ１０ａとプラグ１０ｂは、接続される装置の構成に合わせて、同一の形状であっても良いし、異なる形状であってもよい。
【００３５】
光通信装置２は、図２（ａ）に示すようにプラグ１０ａが挿抜されるジャック１１を備え、同様に、光通信装置３は、図２（ｂ）に示すようにプラグ１０ｂが挿抜されるジャック１２を備える。これにより、光ファイバケーブル４と光通信装置２および光通信装置３は着脱自在な構成となっている。
【００３６】
光ファイバケーブル４の一方のプラグ１０ａには、通電線５の一方の端子５ａと通電線６の一方の端子６ａを備える。また、他方のプラグ１０ｂには、通電線５の他方の端子５ｂと通電線６の他方の端子６ｂを備える。
【００３７】
これにより、光ファイバケーブル４において、一方のプラグ１０ａ側の端子５ａと他方のプラグ１０ｂ側の端子５ｂは通電線５により電気的につながり、同様に、一方のプラグ１０ａ側の端子６ａと他方のプラグ１０ｂ側の端子６ｂは通電線６により電気的につながっている。
【００３８】
光通信装置２のジャック１１には、出力側通電回路７の一方の端子７ａと出力側通電回路７の他方の端子７ｂを備える。また、光通信装置３のジャック１２には、入力側通電回路８の一方の端子８ａと入力側通電回路８の他方の端子８ｂを備える。
【００３９】
そして、光通信装置２のジャック１１に光ファイバケーブル４の一方のプラグ１０ａを挿入することで、ジャック１１側の端子７ａとプラグ１０ａ側の端子５ａが接触するとともに、ジャック１１側の端子７ｂとプラグ１０ａ側の端子６ａが接触して、出力側通電回路７と通電線５および通電線６が電気的に接続する。
【００４０】
また、光通信装置３のジャック１２に光ファイバケーブル４の他方のプラグ１０ｂを挿入することで、ジャック１２側の端子８ａとプラグ１０ｂ側の端子５ｂが接触するとともに、ジャック１２側の端子８ｂとプラグ１０ｂ側の端子６ｂが接触して、入力側通電回路８と通電線５および通電線６が電気的に接続する。
【００４１】
このように、光通信装置２のジャック１１に光ファイバケーブル４の一方のプラグ１０ａを挿入し、光通信装置３のジャック１２に光ファイバケーブル４の他方のプラグ１０ｂを挿入することで、出力側通電回路７と入力側通電回路８が通電線５と通電線６に接続して検出回路９が構成される。
【００４２】
この検出回路９は、光ファイバケーブル４が光通信装置２あるいは光通信装置３から脱抜した場合、および光ファイバケーブル４が断線した場合に、例えば回路の抵抗が変化するような構成として、光ファイバケーブル４の脱抜や断線を検出できるようにしたものである。
【００４３】
例えば、出力側通電回路７に図示しない電源を備えるとともに、任意の抵抗値（Ｚ１）のインピーダンス１３を備える。また、入力側通電回路８に任意の抵抗値（Ｚ２）のインピーダンス１４を備える。検出回路９はインピーダンス１３とインピーダンス１４が並列に接続される構成とする。そして、出力側通電回路７にモニタ１５を備える。モニタ１５は監視手段の一例で、例えば検出回路９の抵抗を測定する。
【００４４】
光通信装置２は、ジャック１１に接続される光ファイバケーブル４に対向してレーザダイオード（ＬＤ）１６を備える。このレーザダイオード１６は発光手段の一例で、光ファイバケーブル４に入射する信号光を出力する。
【００４５】
また、光通信装置２は、レーザダイオード１６を駆動する図示しない駆動回路を備え、この駆動回路を制御してレーザダイオード１６の発光を制御する出力制御部１７を備える。出力制御部１７は制御手段の一例で、モニタ１５で検出回路９の通電状態を監視して、例えば抵抗の変化を検出した場合に、レーザダイオード１６の出力を制御する。
【００４６】
光通信装置３は、ジャック１２に接続される光ファイバケーブル４に対向してフォトダイオード（ＰＤ）１８を備える。このフォトダイオード１８は受光手段の一例で、光ファイバケーブル４から出射する信号光を入力する。
【００４７】
図４は第１の実施の形態の光通信システムの動作例を示す概念図で、以下に第１の実施の形態の光通信システム１の動作について説明する。まず、図１に示すように、光通信装置２のジャック１１に光ファイバケーブル４の一方のプラグ１０ａを挿入し、光通信装置３のジャック１２に光ファイバケーブル４の他方のプラグ１０ｂを挿入する。これにより、光通信装置２と光通信装置３が光ファイバケーブル４で接続された光通信システム１が構成される。
【００４８】
光通信システム１では、光通信装置２に電気信号が入力されると、この電気信号はレーザダイオード１６により光に変換され、このレーザダイオード１６から出力される。光通信装置２のレーザダイオード１６から出力された信号光は、光ファイバケーブル４の光ファイバ芯線４ａの一方の端部に入射する。光ファイバ芯線４ａに入射した信号光はこの光ファイバ芯線４ａを伝搬されて他方の端部から出射する。光ファイバ芯線４ａの他方の端部から出射した信号光は、光通信装置３のフォトダイオード１８に入力する。そして、信号光はフォトダイオード１８で電気信号に変換されて、光通信装置３の外部へ出力される。このように、第１の実施の形態の光通信システム１では、光通信装置２から光通信装置３への単向光通信が実現される。
【００４９】
この光通信システム１では、光通信装置２の出力側通電回路７と光通信装置３の入力側通電回路８が、光ファイバケーブル４の通電線５および通電線６と接続して検出回路９が構成される。
【００５０】
そして、この検出回路９の通電状態を、出力側通電回路７に設けたモニタ１５で監視して、レーザダイオード１６の発光を制御する。すなわち、出力側通電回路７に通電線５および通電線６を介して入力側通電回路８が接続されることで、光通信装置２側に設けたモニタ１５に、インピーダンス１３とインピーダンス１４の両方が接続される形態となる。
【００５１】
このように、光通信装置２と光通信装置３が光ファイバケーブル４で正常に接続されている状態では、出力側通電回路７と入力側通電回路８が接続していることにより、検出回路９の抵抗値は、インピーダンス１３（Ｚ１）とインピーダンス１４（Ｚ２）の並列抵抗値となる。
【００５２】
これにより、モニタ１５では、検出回路９の抵抗値がインピーダンス１３（Ｚ１）とインピーダンス１４（Ｚ２）による並列抵抗値である場合を、検出回路９の正常な通電状態として認識する。なお、検出回路９の電圧値あるいは電流値が、この並列抵抗値に相当する値である場合を、検出回路９の正常な通電状態としてモニタ１５で認識することとしてもよい。
【００５３】
図４（ａ）に示すように、光通信装置２から光ファイバケーブル４が脱抜すると、ジャック１１からプラグ１０ａが抜けることで、ジャック１１側の端子７ａとプラグ１０ａ側の端子５ａが離れるとともに、ジャック１１側の端子７ｂとプラグ１０ａ側の端子６ａが離れる。
【００５４】
これにより、出力側通電回路７と通電線５および通電線６が電気的に切り離される。すなわち、出力側通電回路７と入力側通電回路８が電気的に切り離された形態となる。
【００５５】
このように、光通信装置２から光ファイバケーブル４が脱抜すると、モニタ１５には出力側通電回路７のインピーダンス１３（Ｚ１）のみが接続されることになる。
【００５６】
したがって、モニタ１５で検出回路９の通電状態として抵抗値を監視している場合、光通信装置２から光ファイバケーブル４が脱抜すると、モニタ１５では抵抗値の増加を検出する。若しくは、モニタ１５で電圧値を監視している場合は電圧値の増加を検出し、電流値を監視している場合は電流値の減少を検出する。なお、以下の説明では、モニタ１５は検出回路９の抵抗値を監視しているものとする。
【００５７】
図４（ｂ）に示すように、光通信装置３から光ファイバケーブル４が脱抜すると、ジャック１２からプラグ１０ｂが抜けることで、ジャック１２側の端子８ａとプラグ１０ｂ側の端子５ｂが離れるとともに、ジャック１２側の端子８ｂとプラグ１０ｂ側の端子６ｂが離れる。
【００５８】
これにより、入力側通電回路８と通電線５および通電線６が電気的に切り離される。すなわち、光通信装置２から光ファイバケーブル４が脱抜した場合と同様に、出力側通電回路７と入力側通電回路８が電気的に切り離された形態となる。
【００５９】
よって、光通信装置３から光ファイバケーブル４が脱抜した場合も、モニタ１５には出力側通電回路７のインピーダンス１３（Ｚ１）のみが接続されることになる。したがって、光通信装置３から光ファイバケーブル４が脱抜した場合も、モニタ１５では抵抗値の増加を検出する。
【００６０】
さらに、図４（ｃ）に示すように、光ファイバケーブル４が断線すると、通電線５および通電線６が切断されることになり、出力側通電回路７と入力側通電回路８が電気的に切り離された形態となる。
【００６１】
よって、光ファイバケーブル４が断線した場合も、モニタ１５には出力側通電回路７のインピーダンス１３（Ｚ１）のみが接続されることになる。したがって、光ファイバケーブル４が断線した場合も、モニタ１５では抵抗値の増加を検出する。
【００６２】
このように、モニタ１５で検出回路９の通電状態の変化、例えば抵抗値の増加を検出すると、光ファイバケーブル４の脱抜あるいは光ファイバケーブル４の断線が発生したものとして、出力制御部１７はレーザダイオード１６の発光を停止する。あるいはレーザダイオード１６の発光量を、レーザ安全基準（例えばクラス１）以下に抑制する。
【００６３】
以上のように、第１の実施の形態の光通信システム１では、光通信装置２に設けた出力側通電回路７と光通信装置３に設けた入力側通電回路８を、光ファイバケーブル４に設けた通電線５および通電線６で接続して検出回路９を構成することで、モニタ１５を設けた光通信装置２から光ファイバケーブル４が脱抜したことのみならず、光通信装置３から光ファイバケーブル４が脱抜したことおよび光ファイバケーブル４が断線したことを検出できる。
【００６４】
これにより、光ファイバケーブル４が光通信装置２あるいは光通信装置３からの脱抜した場合、および光ファイバケーブル４が断線した場合に、レーザダイオード１６の発光を停止あるいは発光量を所定値以下に抑制して、光ファイバケーブル４が脱抜した光通信装置や光ファイバケーブル４の断線個所からのレーザ光の漏洩を防いで安全性を高めることができる。また、通信ができない状態となったときにレーザダイオード１６の発光を停止させる等により、消費電力を抑えることができる。
【００６５】
次に、光通信システムの第２の実施の形態について説明する。ここで、図５は第２の実施の形態の光通信システムの構成例を示す概念図、図６は第２の実施の形態の光通信システムを構成する光通信装置の構成例を示す概念図である。
【００６６】
第２の実施の形態の光通信システム２１は、光通信装置２２と光通信装置２３を光ファイバケーブル４で接続して、一芯双方向光通信を実現した構成である。ここで、図６では光通信装置２２を図示しているが、光通信装置２３も同様の構成である。
【００６７】
光ファイバケーブル４は第１の実施の光通信システム１で説明したものと同じ構成で、光信号が伝搬される１本の光ファイバ芯線４ａを被覆材４ｂで被覆したものである。光ファイバケーブル４は、この光ファイバ芯線４ａに沿って２本の通電線５と通電線６を備え、光ファイバケーブル４で接続された光通信装置２２と光通信装置２３との間を電気的に接続する。
【００６８】
光通信装置２２には、通電線５および通電線６と接続する出力側通電回路２４を備える。また、光通信装置２３には、通電線５および通電線６と接続する出力側通電回路２５を備える。出力側通電回路２４および出力側通電回路２５は内部通電手段の一例で、出力側通電回路２４と出力側通電回路２５および通電線５と通電線６により図５に示すように検出回路２６が構成される。
【００６９】
第１の実施の形態の光通信システムで説明したように、光ファイバケーブル４の一方の端部にプラグ１０ａを備え、他方の端部にプラグ１０ｂを備える。以下の説明では、プラグ１０ａが光通信装置２２と接続される側とし、プラグ１０ｂが光通信装置２３と接続される側とする。
【００７０】
光通信装置２２は、図６に示すようにプラグ１０ａが挿抜されるジャック２７を備え、同様に、光通信装置２３は、プラグ１０ｂが挿抜されるジャック２８を備える。これにより、光ファイバケーブル４と光通信装置２２および光通信装置２３は着脱自在な構成となっている。
【００７１】
光通信装置２２のジャック２７には、出力側通電回路２４の一方の端子２４ａと出力側通電回路２４の他方の端子２４ｂを備える。同様に、光通信装置２３のジャック２８には、出力側通電回路２５の一方の端子２５ａと出力側通電回路２５の他方の端子２５ｂを備える。
【００７２】
そして、光通信装置２２のジャック２７に光ファイバケーブル４の一方のプラグ１０ａを挿入することで、ジャック２７側の端子２４ａとプラグ１０ａ側の端子５ａが接触するとともに、ジャック２７側の端子２４ｂとプラグ１０ａ側の端子６ａが接触して、光通信装置２２の出力側通電回路２４と通電線５および通電線６が電気的に接続する。
【００７３】
また、光通信装置２３のジャック２８に光ファイバケーブル４の他方のプラグ１０ｂを挿入することで、ジャック２８側の端子２５ａとプラグ１０ｂ側の端子５ｂが接触するとともに、ジャック２８側の端子２５ｂとプラグ１０ｂ側の端子６ｂが接触して、光通信装置２３の出力側通電回路２５と通電線５および通電線６が電気的に接続する。
【００７４】
このように、光通信装置２２のジャック２７に光ファイバケーブル４の一方のプラグ１０ａを挿入し、光通信装置２３のジャック２８に光ファイバケーブル４の他方のプラグ１０ｂを挿入することで、出力側通電回路２４と出力側通電回路２５が通電線５と通電線６に接続して検出回路２６が構成される。
【００７５】
この検出回路２６も、光ファイバケーブル４が光通信装置２２あるいは光通信装置２３から脱抜した場合、および光ファイバケーブル４が断線した場合に、例えば回路の抵抗が変化するような構成として、光ファイバケーブル４の脱抜や断線を検出できるようにしたものである。
【００７６】
例えば、出力側通電回路２４に図示しない電源を備えるとともに、任意の抵抗値（Ｚ１）のインピーダンス２９を備える。同様に、出力側通電回路２５に図示しない電源を備えるとともに、任意の抵抗値（Ｚ２）のインピーダンス３０を備える。検出回路２６はインピーダンス２９とインピーダンス３０が並列に接続される構成とする。そして、出力側通電回路２４にモニタ３１を備えるとともに、出力側通電回路２５にモニタ３２を備える。モニタ３１およびモニタ３２は監視手段の一例で、例えば検出回路２６の抵抗値を測定する。
【００７７】
光通信装置２２は、ジャック２７に接続される光ファイバケーブル４に対向してレーザダイオード３３を備える。このレーザダイオード３３は発光手段の一例で、光ファイバケーブル４に入射する信号光を出力する。
【００７８】
また、光通信装置２２は、レーザダイオード３３を駆動する図示しない駆動回路を備え、この駆動回路を制御してレーザダイオード３３の発光を制御する出力制御部３４を備える。出力制御部３４は制御手段の一例で、モニタ３１で検出回路２６の通電状態を監視して、例えば抵抗の変化を検出した場合に、レーザダイオード３３の出力を制御する。
【００７９】
さらに、光通信装置２２は、ジャック２７に接続される光ファイバケーブル４に対向してフォトダイオード３５を備える。このフォトダイオード３５は受光手段の一例で、光ファイバケーブル４から出射する信号光を入力する。詳細はしないが、光通信装置２２においては、レーザダイオード３３から出力する信号光を光ファイバケーブル４の光ファイバ芯線４ａに入射し、かつ、光ファイバケーブル４の光ファイバ芯線４ａから出射する信号光をフォトダイオード３５に入射するための構成が組み込まれている。
【００８０】
同様に、光通信装置２３は、ジャック２８に接続される光ファイバケーブル４に対向してレーザダイオード３６を備える。このレーザダイオード３６は発光手段の一例で、光ファイバケーブル４に入射する信号光を出力する。
【００８１】
また、光通信装置２３は、レーザダイオード３６を駆動する図示しない駆動回路を備え、この駆動回路を制御してレーザダイオード３６の発光を制御する出力制御部３７を備える。出力制御部３７は制御手段の一例で、モニタ３２で検出回路２６の通電状態を監視して、例えば抵抗の変化を検出した場合に、レーザダイオード３６の出力を制御する。
【００８２】
さらに、光通信装置２３は、ジャック２８に接続される光ファイバケーブル４に対向してフォトダイオード３８を備える。このフォトダイオード３８は受光手段の一例で、光ファイバケーブル４から出射する信号光を入力する。詳細はしないが、光通信装置２３においても、レーザダイオード３６から出力する信号光を光ファイバケーブル４の光ファイバ芯線４ａに入射し、かつ、光ファイバケーブル４の光ファイバ芯線４ａから出射する信号光をフォトダイオード３８に入射するための構成が組み込まれている。
【００８３】
図７は第２の実施の形態の光通信システムの動作例を示す概念図で、以下に第２の実施の形態の光通信システム２１の動作について説明する。まず、図５に示すように、光通信装置２２のジャック２７に光ファイバケーブル４の一方のプラグ１０ａを挿入し、光通信装置２３のジャック２８に光ファイバケーブル４の他方のプラグ１０ｂを挿入する。これにより、光通信装置２２と光通信装置２３が光ファイバケーブル４で接続された光通信システム２１が構成される。
【００８４】
光通信システム２１では、光通信装置２２に電気信号が入力されると、この電気信号はレーザダイオード３３により光に変換され、このレーザダイオード３３から出力される。光通信装置２２のレーザダイオード３３から出力された信号光は、光ファイバケーブル４の光ファイバ芯線４ａの一方の端部に入射する。光ファイバ芯線４ａに入射した信号光はこの光ファイバ芯線４ａを伝搬されて他方の端部から出射する。光ファイバ芯線４ａの他方の端部から出射した信号光は、光通信装置２３のフォトダイオード３８に入力する。そして、信号光はフォトダイオード３８で電気信号に変換されて、光通信装置２３の外部へ出力される。
【００８５】
光通信装置２３に電気信号が入力されると、この電気信号はレーザダイオード３６により光に変換され、このレーザダイオード３６から出力される。光通信装置２３のレーザダイオード３６から出力された信号光は、光ファイバケーブル４の光ファイバ芯線４ａの他方の端部に入射する。光ファイバ芯線４ａに入射した信号光はこの光ファイバ芯線４ａを伝搬されて一方の端部から出射する。光ファイバ芯線４ａの一方の端部から出射した信号光は、光通信装置２２のフォトダイオード３５に入力する。そして、信号光はフォトダイオード３５で電気信号に変換されて、光通信装置２２の外部へ出力される。
【００８６】
このように、第２の実施の形態の光通信システム２１では、光通信装置２２と光通信装置２３の間で一芯双方向光通信が実現される。
【００８７】
この光通信システム２１では、光通信装置２２の出力側通電回路２４と光通信装置２３の出力側通電回路２５が、光ファイバケーブル４の通電線５および通電線６と接続して検出回路２６が構成される。
【００８８】
そして、この検出回路２６の通電状態を、光通信装置２２では出力側通電回路２４に設けたモニタ３１で監視して、レーザダイオード３３の発光を制御する。同様に、検出回路２６の通電状態を、光通信装置２３では出力側通電回路２５に設けたモニタ３２で監視して、レーザダイオード３６の発光を制御する。
【００８９】
出力側通電回路２４と出力側通電回路２５が通電線５および通電線６を介して接続されることで、光通信装置２２側に設けたモニタ３１に、インピーダンス２９とインピーダンス３０の両方が接続される形態となる。また、光通信装置２３側に設けたモニタ３２にも、インピーダンス２９とインピーダンス３０の両方が接続される形態となる。
【００９０】
このように、光通信装置２２と光通信装置２３が光ファイバケーブル４で正常に接続されている状態では、出力側通電回路２４と出力側通電回路２５が接続していることにより、検出回路２６の抵抗値は、インピーダンス２９（Ｚ１）とインピーダンス３０（Ｚ２）の並列抵抗値となる。
【００９１】
これにより、モニタ３１では、検出回路２６の抵抗値がインピーダンス２９（Ｚ１）とインピーダンス３０（Ｚ２）による並列抵抗値である場合を、検出回路２６の正常な通電状態として認識する。なお、検出回路２６の電圧値あるいは電流値が、この並列抵抗値に相当する値である場合を、検出回路２６の正常な通電状態として認識することとしてもよい。
【００９２】
また、モニタ３２でも、検出回路２６の抵抗値がインピーダンス２９（Ｚ１）とインピーダンス３０（Ｚ２）による並列抵抗値である場合を、検出回路２６の正常な通電状態として認識する。
【００９３】
図７（ａ）に示すように、光通信装置２２から光ファイバケーブル４が脱抜すると、ジャック２７からプラグ１０ａが抜けることで、ジャック２７側の端子２４ａとプラグ１０ａ側の端子５ａが離れるとともに、ジャック２７側の端子２４ｂとプラグ１０ａ側の端子６ａが離れる。
【００９４】
これにより、出力側通電回路２４と通電線５および通電線６が電気的に切り離される。すなわち、出力側通電回路２４と出力側通電回路２５が電気的に切り離された形態となる。
【００９５】
このように、光通信装置２２から光ファイバケーブル４が脱抜すると、モニタ３１には出力側通電回路２４のインピーダンス２９（Ｚ１）のみが接続されることになる。したがって、光通信装置２２では、モニタ３１により抵抗値の増加が検出される。
【００９６】
これにより、光通信装置２２では、出力制御部３４がレーザダイオード３３の発光を停止する。あるいはレーザダイオード３３の発光量を所定値以下に抑制する。
【００９７】
また、光通信装置２２から光ファイバケーブル４が脱抜すると、出力側通電回路２４と出力側通電回路２５が電気的に切り離されることで、光通信装置２３のモニタ３２には、出力側通電回路２５のインピーダンス３０（Ｚ２）のみが接続されることになる。したがって、光通信装置２２から光ファイバケーブル４が脱抜した場合に、光通信装置２３においてもモニタ３２により抵抗値の増加が検出される。
【００９８】
これにより、光通信装置２３でも、出力制御部３７がレーザダイオード３６の発光を停止する。あるいはレーザダイオード３６の発光量を所定値以下に抑制する。
【００９９】
以上のように、第２の実施の形態の光通信システム２１では、一芯双方向光通信を行うシステムで、一方の光通信装置２２から光ファイバケーブル４が脱抜した場合に、光ファイバケーブル４が抜けた光通信装置２２のレーザダイオード３３の発光を停止等させることができるだけでなく、他方の光通信装置２３のレーザダイオード３６の発光も停止させることができる。
【０１００】
図７（ｂ）に示すように、光通信装置２３から光ファイバケーブル４が脱抜した場合も、同様の制御が行われる。すなわち、光通信装置２３から光ファイバケーブル４が脱抜すると、ジャック２８からプラグ１０ｂが抜けることで、ジャック２８側の端子２５ａとプラグ１０ｂ側の端子５ｂが離れるとともに、ジャック２８側の端子２５ｂとプラグ１０ｂ側の端子６ｂが離れる。
【０１０１】
これにより、出力側通電回路２５と通電線５および通電線６が電気的に切り離され、出力側通電回路２４と出力側通電回路２５が電気的に切り離された形態となる。
【０１０２】
このように、光通信装置２３から光ファイバケーブル４が脱抜すると、光通信装置２３のモニタ３２には出力側通電回路２５のインピーダンス３０（Ｚ２）のみが接続されることになる。したがって、光通信装置２３では、モニタ３２により抵抗値の増加が検出される。
【０１０３】
これにより、光通信装置２３では、出力制御部３７がレーザダイオード３６の発光を停止する。あるいはレーザダイオード３６の発光量を所定値以下に抑制する。
【０１０４】
また、光通信装置２３から光ファイバケーブル４が脱抜すると、出力側通電回路２４と出力側通電回路２５が電気的に切り離されることで、光通信装置２２のモニタ３１には、出力側通電回路２４のインピーダンス２９（Ｚ１）のみが接続されることになる。したがって、光通信装置２２においてもモニタ３１により抵抗値の増加が検出される。
【０１０５】
これにより、光通信装置２２では、出力制御部３４がレーザダイオード３３の発光を停止する。あるいはレーザダイオード３３の発光量を所定値以下に抑制する。
【０１０６】
以上のように、他方の光通信装置２３から光ファイバケーブル４が脱抜した場合に、光ファイバケーブル４が抜けた光通信装置２３のレーザダイオード３６の発光を停止等させることができるだけでなく、一方の光通信装置２２のレーザダイオード３３の発光も停止させることができる。
【０１０７】
さらに、図７（ｃ）に示すように、光ファイバケーブル４が断線すると、通電線５および通電線６が切断されることになり、出力側通電回路２４と出力側通電回路２５が電気的に切り離された形態となる。
【０１０８】
よって、光ファイバケーブル４が断線した場合も、光通信装置２２のモニタ３１には出力側通電回路２４のインピーダンス２９（Ｚ１）のみが接続されることになり、モニタ３１では抵抗値の増加を検出する。また、光通信装置２３のモニタ３２には出力側通電回路２５のインピーダンス３０（Ｚ２）のみが接続されることになり、モニタ３２では抵抗値の増加を検出する。
【０１０９】
これにより、光通信装置２２では、出力制御部３４がレーザダイオード３３の発光を停止する。あるいは発光量を所定値以下に抑制する。また、光通信装置２３では、出力制御部３７がレーザダイオード３６の発光を停止する。あるいは発光量を所定値以下に抑制する。
【０１１０】
以上のように、第２の実施の形態の光通信システム２１では、光ファイバケーブル４が光通信装置２２から脱抜した場合、光ファイバケーブル４が光通信装置２３から脱抜した場合、そして光ファイバケーブル４が断線した場合のいずれであっても、光通信装置２２のレーザダイオード３３の発光を停止あるいは発光量を抑制することができる。また、光通信装置２３のレーザダイオード３６の発光も停止あるいは発光量を抑制することができる。
【０１１１】
これにより、一芯双方向光通信を行う光通信システムで、光ファイバケーブル４が脱抜した場合や断線した場合に、光ファイバケーブル４が脱抜した光通信装置や光ファイバケーブル４の断線個所からのレーザ光の漏洩を防いで安全性を高めることができる。また、通信ができない状態となったときにはレーザダイオード３３およびレーザダイオード３６の発光が停止等されることになり、消費電力を抑えることができる。
【０１１２】
次に、光通信システムの第３の実施の形態について説明する。ここで、図８は第３の実施の形態の光通信システムの構成例を示す概念図、図９は第３の実施の形態の光通信システムを構成する光通信装置の構成例を示す概念図、図１０は第３の実施の形態の光通信システムを構成する光ファイバケーブルの構成例を示す概念図である。
【０１１３】
第３の実施の形態の光通信システム４１は、光通信装置４２と光通信装置４３を光ファイバケーブル４４で接続して、多芯双方向光通信を実現した構成である。ここで、図９では光通信装置４２を図示しているが、光通信装置４３も同様の構成である。
【０１１４】
光ファイバケーブル４４は光ケーブルの一例で、図１０に示すように、光信号が伝搬される２本の光ファイバ芯線４４ａおよび光ファイバ芯線４４ｂを被覆材４４ｃで被覆したものである。光ファイバケーブル４４は、この光ファイバ芯線４４ａおよび光ファイバ芯線４４ｂに沿って４本の通電線４５、通電線４６、通電線４７および通電線４８を備える。通電線４５、通電線４６、通電線４７および通電線４８は装置間通電手段の一例で、光ファイバケーブル４４で接続された光通信装置４２と光通信装置４３との間を電気的に接続する。
【０１１５】
光通信装置４２には、通電線４５および通電線４６と接続する出力側通電回路４９と、通電線４７および通電線４８と接続する入力側通電回路５０を備える。また、光通信装置４３も光通信装置４２と同様の構成で、通電線４５および通電線４６と接続する入力側通電回路５１と、通電線４７および通電線４８と接続する出力側通電回路５２を備える。
【０１１６】
出力側通電回路４９と入力側通電回路５０および出力側通電回路５１と入力側通電回路５２は内部通電手段の一例で、出力側通電回路４９と入力側通電回路５１および通電線４５と通電線４６により第１の検出回路５３が構成される。また、出力側通電回路５２と入力側通電回路５０および通電線４７と通電線４８により第２の検出回路５４が構成される。
【０１１７】
光ファイバケーブル４４は光通信装置４２および光通信装置４３に対して着脱自在であり、光通信装置４２と光通信装置４３を光ファイバケーブル４４で接続したときに、第１の検出回路５３と第２の検出回路５４が構成されるようになっている。
【０１１８】
具体的には、光ファイバケーブル４４の一方の端部にプラグ５５ａを備え、他方の端部にプラグ５５ｂを備える。これらプラグ５５ａおよびプラグ５５ｂは着脱手段の一例である。以下の説明では、プラグ５５ａが光通信装置４２と接続される側とし、プラグ５５ｂが光通信装置４３と接続される側とする。
【０１１９】
光通信装置４２は、図９に示すようにプラグ５５ａが挿抜されるジャック５６を備え、同様に、光通信装置４３は、図８に示すようにプラグ５５ｂが挿抜されるジャック５７を備える。これにより、光ファイバケーブル４４と光通信装置４２および光通信装置４３は着脱自在な構成となっている。
【０１２０】
光ファイバケーブル４４の一方のプラグ５５ａには、通電線４５の一方の端子４５ａと通電線４６の一方の端子４６ａと通電線４７の一方の端子４７ａと通電線４８の一方の端子４８ａを備える。また、他方のプラグ５５ｂには、通電線４５の他方の端子４５ｂと通電線４６の他方の端子４６ｂと通電線４７の他方の端子４７ｂと通電線４８の他方の端子４８ｂを備える。
【０１２１】
光通信装置４２のジャック５６には、出力側通電回路４９の一方の端子４９ａと他方の端子４９ｂを備える。また、ジャック５６には入力側通電回路５０の一方の端子５０ａと他方の端子５０ｂを備える。同様に、光通信装置４３のジャック５７には、入力側通電回路５１の一方の端子５１ａと他方の端子５１ｂを備える。また、ジャック５７には出力側通電回路５２の一方の端子５２ａと他方の端子５２ｂを備える。
【０１２２】
そして、光通信装置４２のジャック５６に光ファイバケーブル４４の一方のプラグ５５ａを挿入することで、ジャック５６側の端子４９ａとプラグ５５ａ側の端子４５ａが接触するとともに、ジャック５６側の端子４９ｂとプラグ５５ａ側の端子４６ａが接触して、光通信装置４２の出力側通電回路４９と通電線４５および通電線４６が電気的に接続する。
【０１２３】
また、ジャック５６側の端子５０ａとプラグ５５ａ側の端子４７ａが接触するとともに、ジャック５６側の端子５０ｂとプラグ５５ａ側の端子４８ａが接触して、光通信装置４２の入力側通電回路５０と通電線４７および通電線４８が電気的に接続する。
【０１２４】
光通信装置４３のジャック５７に光ファイバケーブル４４の他方のプラグ５５ｂを挿入することで、ジャック５７側の端子５１ａとプラグ５５ｂ側の端子４５ｂが接触するとともに、ジャック５７側の端子５１ｂとプラグ５５ｂ側の端子４６ｂが接触して、光通信装置４３の入力側通電回路５１と通電線４５および通電線４６が電気的に接続する。
【０１２５】
また、ジャック５７側の端子５２ａとプラグ５５ｂ側の端子４７ｂが接触するとともに、ジャック５７側の端子５２ｂとプラグ５５ｂ側の端子４８ｂが接触して、光通信装置４３の出力側通電回路５２と通電線４７および通電線４８が電気的に接続する。
【０１２６】
このように、光通信装置４２のジャック５６に光ファイバケーブル４４の一方のプラグ５５ａを挿入し、光通信装置４３のジャック５７に光ファイバケーブル４４の他方のプラグ５５ｂを挿入することで、光通信装置４２に備えた出力側通電回路４９と、光通信装置４３に備えた入力側通電回路５１が、光ファイバケーブル４４に備えた通電線４５と通電線４６に接続して第１の検出回路５３が構成される。
【０１２７】
また、光通信装置４２に備えた入力側通電回路５０と、光通信装置４３に備えた出力側通電回路５２が、光ファイバケーブル４４に備えた通電線４７と通電線４８に接続して第２の検出回路５４が構成される。
【０１２８】
第１の検出回路５３および第２の検出回路５４は、光ファイバケーブル４４が光通信装置４２あるいは光通信装置４３から脱抜した場合、および光ファイバケーブル４４が断線した場合に、例えば回路の抵抗が変化するような構成として、光ファイバケーブル４４の脱抜や断線を検出できるようにしたものである。
【０１２９】
第１の検出回路５３の構成としては、例えば、出力側通電回路４９に図示しない電源を備えるとともに、任意の抵抗値（Ｚ１）のインピーダンス５８を備える。入力側通電回路５１には任意の抵抗値（Ｚ２）のインピーダンス５９を備える。第１の検出回路５３はインピーダンス５８とインピーダンス５９が並列に接続される構成とする。そして、出力側通電回路４９にモニタ６０を備える。モニタ６０は監視手段の一例で、第１の検出回路５３の例えば抵抗値を測定する。
【０１３０】
第２の検出回路５４の構成としては、例えば、入力側通電回路５０に任意の抵抗値（Ｚ１）のインピーダンス６１を備える。出力側通電回路５２には図示しない電源を備えるとともに、任意の抵抗値（Ｚ２）のインピーダンス６２を備える。第２の検出回路５４はインピーダンス６１とインピーダンス６２が並列に接続される構成とする。そして、出力側通電回路５２にモニタ６３を備える。モニタ６３は監視手段の一例で、第２の検出回路５４の例えば抵抗値を測定する。
【０１３１】
光通信装置４２は、ジャック５６に接続される光ファイバケーブル４４の光ファイバ芯線４４ａに対向してレーザダイオード６４を備える。このレーザダイオード６４は発光手段の一例で、光ファイバケーブル４４の光ファイバ芯線４４ａに入射する信号光を出力する。
【０１３２】
また、光通信装置４２は、レーザダイオード６４を駆動する図示しない駆動回路を備え、この駆動回路を制御してレーザダイオード６４の発光を制御する出力制御部６５を備える。出力制御部６５は制御手段の一例で、モニタ６０で第１の検出回路５３の通電状態を監視して、例えば抵抗の変化を検出した場合に、レーザダイオード６４の出力を制御する。
【０１３３】
さらに、光通信装置４２は、ジャック５６に接続される光ファイバケーブル４４の光ファイバ芯線４４ｂに対向してフォトダイオード６６を備える。このフォトダイオード６６は受光手段の一例で、光ファイバケーブル４４の光ファイバ芯線４４ｂから出射する信号光を入力する。
【０１３４】
同様に、光通信装置４３は、ジャック５７に接続される光ファイバケーブル４４の光ファイバ芯線４４ｂに対向してレーザダイオード６７を備える。このレーザダイオード６７は発光手段の一例で、光ファイバケーブル４４の光ファイバ芯線４４ｂに入射する信号光を出力する。
【０１３５】
また、光通信装置４３は、レーザダイオード６７を駆動する図示しない駆動回路を備え、この駆動回路を制御してレーザダイオード６７の発光を制御する出力制御部６８を備える。出力制御部６８は制御手段の一例で、モニタ６３で第２の検出回路５４の通電状態を監視して、例えば抵抗の変化を検出した場合に、レーザダイオード６７の出力を制御する。
【０１３６】
さらに、光通信装置２３は、ジャック５７に接続される光ファイバケーブル４４の光ファイバ芯線４４ａに対向してフォトダイオード６９を備える。このフォトダイオード６９は受光手段の一例で、光ファイバケーブル４４の光ファイバ芯線４４ａから出射する信号光を入力する。
【０１３７】
図１１は第３の実施の形態の光通信システムの動作例を示す概念図で、以下に第３の実施の形態の光通信システム４１の動作について説明する。まず、図８に示すように、光通信装置４２のジャック５６に光ファイバケーブル４４の一方のプラグ５５ａを挿入し、光通信装置４３のジャック５７に光ファイバケーブル４４の他方のプラグ５５ｂを挿入する。これにより、光通信装置４２と光通信装置４３が光ファイバケーブル４４で接続された光通信システム４１が構成される。
【０１３８】
光通信システム４１では、光通信装置４２に電気信号が入力されると、この電気信号はレーザダイオード６４により光に変換され、このレーザダイオード６４から出力される。光通信装置４２のレーザダイオード６４から出力された信号光は、光ファイバケーブル４４の光ファイバ芯線４４ａの一方の端部に入射する。光ファイバ芯線４４ａに入射した信号光はこの光ファイバ芯線４４ａを伝搬されて他方の端部から出射する。光ファイバ芯線４４ａの他方の端部から出射した信号光は、光通信装置４３のフォトダイオード６９に入力する。そして、信号光はフォトダイオード６９で電気信号に変換されて、光通信装置４３の外部へ出力される。
【０１３９】
光通信装置４３に電気信号が入力されると、この電気信号はレーザダイオード６７により光に変換され、このレーザダイオード６７から出力される。光通信装置４３のレーザダイオード６７から出力された信号光は、光ファイバケーブル４４の光ファイバ芯線４４ｂの他方の端部に入射する。光ファイバ芯線４４ｂに入射した信号光はこの光ファイバ芯線４４ｂを伝搬されて一方の端部から出射する。光ファイバ芯線４４ｂの一方の端部から出射した信号光は、光通信装置４２のフォトダイオード６６に入力する。そして、信号光はフォトダイオード６６で電気信号に変換されて、光通信装置４２の外部へ出力される。
【０１４０】
このように、第３の実施の形態の光通信システム４１では、光通信装置４２と光通信装置４３の間で多芯双方向光通信が実現される。
【０１４１】
この光通信システム４１では、光通信装置４２の出力側通電回路４９と光通信装置４３の入力側通電回路５１が、光ファイバケーブル４４の通電線４５および通電線４６と接続して第１の検出回路５３が構成される。また、光通信装置４２の入力側通電回路５０と光通信装置４３の出力側通電回路５２が、光ファイバケーブル４４の通電線４７および通電線４８と接続して第２の検出回路５４が構成される。
【０１４２】
そして、第１の検出回路５３の通電状態を、光通信装置４２の出力側通電回路４９に設けたモニタ６０で監視して、レーザダイオード６４の発光を制御する。また、第２の検出回路５４の通電状態を、光通信装置４３の出力側通電回路５２に設けたモニタ６３で監視して、レーザダイオード６７の発光を制御する。
【０１４３】
第１の検出回路５３では、出力側通電回路４９と入力側通電回路５１が通電線４５および通電線４６を介して接続されることで、光通信装置４２に設けたモニタ６０に、インピーダンス５８とインピーダンス５９の両方が接続される形態となる。
【０１４４】
このように、光通信装置４２と光通信装置４３が光ファイバケーブル４４で正常に接続されている状態では、出力側通電回路４９と入力側通電回路５１が接続していることにより、第１の検出回路５３の抵抗値は、インピーダンス５８（Ｚ１）とインピーダンス５９（Ｚ２）の並列抵抗値となる。
【０１４５】
これにより、モニタ６０では、第１の検出回路５３の抵抗値がインピーダンス５８（Ｚ１）とインピーダンス５９（Ｚ２）による並列抵抗値である場合を、第１の検出回路５３の正常な通電状態として認識する。なお、第１の検出回路５３の電圧値あるいは電流値が、この並列抵抗値に相当する値である場合を、第１の検出回路５３の正常な通電状態として認識することとしてもよい。以下の説明では、抵抗値を監視することとする。
【０１４６】
第２の検出回路５４では、入力側通電回路５０と出力側通電回路５２が通電線４７および通電線４８を介して接続されることで、光通信装置４３に設けたモニタ６３に、インピーダンス６１とインピーダンス６２の両方が接続される形態となる。
【０１４７】
このように、光通信装置４２と光通信装置４３が光ファイバケーブル４４で正常に接続されている状態では、入力側通電回路５０と出力側通電回路５２が接続していることにより、第２の検出回路５４の抵抗値は、インピーダンス６１（Ｚ１）とインピーダンス６２（Ｚ２）の並列抵抗値となる。
【０１４８】
これにより、モニタ６３では、第２の検出回路５４の抵抗値がインピーダンス６１（Ｚ１）とインピーダンス６２（Ｚ２）による並列抵抗値である場合を、第２の検出回路５４の正常な通電状態として認識する。
【０１４９】
図１１（ａ）に示すように、光通信装置４２から光ファイバケーブル４４が脱抜すると、ジャック５６からプラグ５５ａが抜けることで、ジャック５６側の端子４９ａとプラグ５５ａ側の端子４５ａが離れるとともに、ジャック５６側の端子４９ｂとプラグ５５ａ側の端子４６ａが離れる。
【０１５０】
これにより、出力側通電回路４９と通電線４５および通電線４６が電気的に切り離される。すなわち、出力側通電回路４９と入力側通電回路５１が電気的に切り離された形態となる。
【０１５１】
また、ジャック５６からプラグ５５ａが抜けることで、ジャック５６側の端子５０ａとプラグ５５ａ側の端子４７ａが離れるとともに、ジャック５６側の端子５０ｂとプラグ５５ａ側の端子４８ａが離れる。
【０１５２】
これにより、入力側通電回路５０と通電線４７および通電線４８が電気的に切り離される。すなわち、入力側通電回路５０と出力側通電回路５２が電気的に切り離された形態となる。
【０１５３】
このように、光通信装置４２から光ファイバケーブル４４が脱抜すると、光通信装置４２に備えたモニタ６０には出力側通電回路４９のインピーダンス５８（Ｚ１）のみが接続されることになる。したがって、光通信装置４２では、モニタ６０により抵抗値の増加が検出される。
【０１５４】
これにより、光通信装置４２では、出力制御部６５がレーザダイオード６４の発光を停止する。あるいはレーザダイオード６４の発光量を所定値以下に抑制する。
【０１５５】
また、光通信装置４２から光ファイバケーブル４４が脱抜すると、光通信装置４３に備えたモニタ６３には出力側通電回路５２のインピーダンス６２（Ｚ２）のみが接続されることになる。したがって、光通信装置４３では、モニタ６３により抵抗値の増加が検出される。
【０１５６】
これにより、光通信装置４３では、出力制御部６８がレーザダイオード６７の発光を停止する。あるいはレーザダイオード６７の発光量を所定値以下に抑制する。
【０１５７】
以上のように、第３の実施の形態の光通信システム４１では、多芯双方向光通信を行うシステムで、一方の光通信装置４２から光ファイバケーブル４４が脱抜した場合に、光ファイバケーブル４４が抜けた光通信装置４２のレーザダイオード６４の発光を停止等させることができるだけでなく、他方の光通信装置４３のレーザダイオード６７の発光も停止させることができる。
【０１５８】
図１１（ｂ）に示すように、光通信装置４３から光ファイバケーブル４４が脱抜した場合も、同様の制御が行われる。すなわち、光通信装置４３から光ファイバケーブル４４が脱抜すると、ジャック５７からプラグ５５ｂが抜けることで、ジャック５７側の端子５２ａとプラグ５５ｂ側の端子４７ｂが離れるとともに、ジャック５７側の端子５２ｂとプラグ５５ｂ側の端子４８ｂが離れる。
【０１５９】
これにより、出力側通電回路５２と通電線４７および通電線４８が電気的に切り離され、出力側通電回路５２と入力側通電回路５０が電気的に切り離された形態となる。
【０１６０】
また、ジャック５７側の端子５１ａとプラグ５５ｂ側の端子４５ｂが離れるとともに、ジャック５７側の端子５１ｂとプラグ５５ｂ側の端子４６ｂが離れることで、入力側通電回路５１と通電線４５および通電線４６が電気的に切り離される。これにより、出力側通電回路４９と入力側通電回路５１が電気的に切り離された形態となる。
【０１６１】
このように、光通信装置４３から光ファイバケーブル４４が脱抜すると、光通信装置４３のモニタ６３には出力側通電回路５２のインピーダンス６２（Ｚ２）のみが接続されることになる。したがって、光通信装置４３では、モニタ６３により抵抗値の増加が検出される。
【０１６２】
これにより、光通信装置４３では、出力制御部６８がレーザダイオード６７の発光を停止する。あるいはレーザダイオード６７の発光量を所定値以下に抑制する。
【０１６３】
また、光通信装置４３から光ファイバケーブル４４が脱抜すると、出力側通電回路４９と入力側通電回路５１が電気的に切り離されることで、光通信装置２２のモニタ６０には、出力側通電回路４９のインピーダンス５８（Ｚ１）のみが接続されることになる。したがって、光通信装置２２においてもモニタ６０により抵抗値の増加が検出される。
【０１６４】
これにより、光通信装置２２では、出力制御部６５がレーザダイオード６４の発光を停止する。あるいはレーザダイオード６４の発光量を所定値以下に抑制する。
【０１６５】
以上のように、他方の光通信装置４３から光ファイバケーブル４４が脱抜した場合に、光ファイバケーブル４４が抜けた光通信装置４３のレーザダイオード６７の発光を停止等させることができるだけでなく、一方の光通信装置４２のレーザダイオード６４の発光も停止させることができる。
【０１６６】
さらに、図１１（ｃ）に示すように、光ファイバケーブル４４が断線すると、通電線４５、通電線４６、通電線４７および通電線４８が切断されることになり、出力側通電回路４９と入力側通電回路５１が電気的に切り離された形態となるとともに、出力側通電回路５２と入力側通電回路５０が電気的に切り離された形態となる。
【０１６７】
よって、光ファイバケーブル４４が断線した場合も、光通信装置４２のモニタ６０には出力側通電回路４９のインピーダンス５８（Ｚ１）のみが接続されることになり、モニタ６０では抵抗値の増加を検出する。また、光通信装置４３のモニタ６３には出力側通電回路５２のインピーダンス６２（Ｚ２）のみが接続されることになり、モニタ６３では抵抗値の増加を検出する。
【０１６８】
これにより、光通信装置４２では、出力制御部６５がレーザダイオード６４の発光を停止する。あるいは発光量を所定値以下に抑制する。また、光通信装置４３では、出力制御部６８がレーザダイオード６７の発光を停止する。あるいは発光量を所定値以下に抑制する。
【０１６９】
以上のように、第３の実施の形態の光通信システム４１では、光ファイバケーブル４４が光通信装置４２から脱抜した場合、光ファイバケーブル４４が光通信装置４３から脱抜した場合、そして光ファイバケーブル４４が断線した場合のいずれであっても、光通信装置４２のレーザダイオード６４の発光を停止あるいは発光量を抑制することができる。また、光通信装置４３のレーザダイオード６７の発光も停止あるいは発光量を抑制することができる。
【０１７０】
これにより、多芯双方向光通信を行う光通信システムで、光ファイバケーブル４４が脱抜した場合や断線した場合に、光ファイバケーブル４４が脱抜した光通信装置や光ファイバケーブル４４の断線個所からのレーザ光の漏洩を防いで安全性を高めることができる。また、通信ができない状態となったときにはレーザダイオード６４およびレーザダイオード６７の発光が停止等されることになり、消費電力を抑えることができる。
【０１７１】
次に、光通信システムの第４の実施の形態について説明する。ここで、図１２は第４の実施の形態の光通信システムの構成例を示す概念図、図１３は第４の実施の形態の光通信システムを構成する光通信装置の構成例を示す概念図、図１４は第４の実施の形態の光通信システムを構成する光ファイバケーブルの構成例を示す概念図である。
【０１７２】
第４の実施の形態の光通信システム７１は、光通信装置７２と光通信装置７３を光ファイバケーブル７４で接続して、多芯双方向光通信を実現した構成であり、第３の実施の形態の光通信システムにおいて、第１の検出回路と第２の検出回路で通電線の一部を共用としたものである。ここで、図１３では光通信装置７２を図示しているが、光通信装置７３も同様の構成である。
【０１７３】
光ファイバケーブル７４は光ケーブルの一例で、図１４に示すように、光信号が伝搬される２本の光ファイバ芯線７４ａおよび光ファイバ芯線７４ｂを被覆材７４ｃで被覆したものである。光ファイバケーブル７４は、この光ファイバ芯線７４ａおよび光ファイバ芯線７４ｂに沿って３本の通電線７５、通電線７６および通電線７７を備える。通電線７５、通電線７６および通電線７７は装置間通電手段の一例で、光ファイバケーブル７４で接続された光通信装置７２と光通信装置７３との間を電気的に接続する。
【０１７４】
光通信装置７２には、通電線７５および通電線７６と接続する出力側通電回路７９と、通電線７６および通電線７７と接続する入力側通電回路８０を備える。ここで、出力側通電回路７９と入力側通電回路８０は、通電線７６を共用できる構成となっている。
【０１７５】
また、光通信装置７３も光通信装置７２と同様の構成で、通電線７５および通電線７６と接続する入力側通電回路８１と、通電線７６および通電線７７と接続する出力側通電回路８２を備える。ここで、出力側通電回路８２と入力側通電回路８１は、通電線７６を共用できる構成となっている。
【０１７６】
出力側通電回路７９と入力側通電回路８０および出力側通電回路８１と入力側通電回路８２は内部通電手段の一例で、出力側通電回路７９と入力側通電回路８１および通電線７５と通電線７６により第１の検出回路８３が構成される。また、出力側通電回路８２と入力側通電回路８０および通電線７６と通電線７７により第２の検出回路８４が構成される。
【０１７７】
光ファイバケーブル７４は光通信装置７２および光通信装置７３に対して着脱自在であり、光通信装置７２と光通信装置７３を光ファイバケーブル７４で接続したときに、第１の検出回路８３と第２の検出回路８４が構成されるようになっている。
【０１７８】
具体的には、光ファイバケーブル７４の一方の端部にプラグ８５ａを備え、他方の端部にプラグ８５ｂを備える。これらプラグ８５ａおよびプラグ８５ｂは着脱手段の一例である。以下の説明では、プラグ８５ａが光通信装置７２と接続される側とし、プラグ８５ｂが光通信装置７３と接続される側とする。
【０１７９】
光通信装置７２は、図１３に示すようにプラグ８５ａが挿抜されるジャック８６を備え、同様に、光通信装置７３は、プラグ８５ｂが挿抜されるジャック８７を備える。これにより、光ファイバケーブル７４と光通信装置７２および光通信装置７３は着脱自在な構成となっている。
【０１８０】
光ファイバケーブル７４の一方のプラグ８５ａには、通電線７５の一方の端子７５ａと通電線７６の一方の端子７６ａと通電線７７の一方の端子７７ａを備える。また、他方のプラグ８５ｂには、通電線７５の他方の端子７５ｂと通電線７６の他方の端子７６ｂと通電線７７の他方の端子７７ｂを備える。
【０１８１】
光通信装置７２のジャック８６には、出力側通電回路７９の一方の端子７９ａと他方の端子７９ｂを備える。この端子７９ｂは入力側通電回路８０の一方の端子も兼ねる。さらに、ジャック５６には入力側通電回路８０の他方の端子８０ｂを備える。同様に、光通信装置７３のジャック８７には、入力側通電回路８１の一方の端子８１ａと他方の端子８１ｂを備える。この端子８１ｂは出力側通電回路８２の端子も兼ねる。さらに、ジャック８７には出力側通電回路８２の他方の端子８２ｂを備える。
【０１８２】
そして、光通信装置７２のジャック８６に光ファイバケーブル７４の一方のプラグ８５ａを挿入することで、ジャック８６側の端子７９ａとプラグ８５ａ側の端子７５ａが接触するとともに、ジャック８６側の端子７９ｂとプラグ８５ａ側の端子７６ａが接触して、光通信装置７２の出力側通電回路７９と通電線７５および通電線７６が電気的に接続する。
【０１８３】
また、ジャック８６側の端子８０ｂとプラグ８５ａ側の端子７７ａが接触して、光通信装置７２の入力側通電回路８０と通電線７６および通電線７７が電気的に接続する。
【０１８４】
光通信装置７３のジャック８７に光ファイバケーブル７４の他方のプラグ８５ｂを挿入することで、ジャック８７側の端子８１ａとプラグ８５ｂ側の端子７５ｂが接触するとともに、ジャック８７側の端子８１ｂとプラグ８５ｂ側の端子７６ｂが接触して、光通信装置７３の入力側通電回路８１と通電線７５および通電線７６が電気的に接続する。
【０１８５】
また、ジャック８７側の端子８２ｂとプラグ８５ｂ側の端子７７ｂが接触して、光通信装置７３の出力側通電回路８２と通電線７６および通電線７７が電気的に接続する。
【０１８６】
このように、光通信装置７２のジャック８６に光ファイバケーブル７４の一方のプラグ８５ａを挿入し、光通信装置７３のジャック８７に光ファイバケーブル７４の他方のプラグ８５ｂを挿入することで、光通信装置７２に備えた出力側通電回路７９と、光通信装置７３に備えた入力側通電回路８１が、光ファイバケーブル７４に備えた通電線７５と通電線７６に接続して第１の検出回路８３が構成される。
【０１８７】
また、光通信装置７２に備えた入力側通電回路８０と、光通信装置７３に備えた出力側通電回路８２が、光ファイバケーブル７４に備えた通電線７６と通電線７７に接続して第２の検出回路８４が構成される。
【０１８８】
第１の検出回路８３および第２の検出回路８４は、光ファイバケーブル７４が光通信装置７２あるいは光通信装置７３から脱抜した場合、および光ファイバケーブル７４が断線した場合に、例えば回路の抵抗が変化するような構成として、光ファイバケーブル７４の脱抜や断線を検出できるようにしたものである。
【０１８９】
第１の検出回路８３の構成としては、例えば、出力側通電回路７９に図示しない電源を備えるとともに、任意の抵抗値（Ｚ１）のインピーダンス８８を備える。入力側通電回路８１には任意の抵抗値（Ｚ２）のインピーダンス８９を備える。第１の検出回路８３はインピーダンス８８とインピーダンス８９が並列に接続される構成とする。そして、出力側通電回路７９にモニタ９０を備える。モニタ９０は監視手段の一例で、第１の検出回路８３の例えば抵抗値を測定する。
【０１９０】
第２の検出回路８４の構成としては、例えば、入力側通電回路８０に任意の抵抗値（Ｚ１）のインピーダンス９１を備える。出力側通電回路８２には図示しない電源を備えるとともに、任意の抵抗値（Ｚ２）のインピーダンス９２を備える。第２の検出回路８４はインピーダンス９１とインピーダンス９２が並列に接続される構成とする。そして、出力側通電回路８２にモニタ９３を備える。モニタ９３は監視手段の一例で、第２の検出回路８４の例えば抵抗値を測定する。
【０１９１】
光通信装置７２は、ジャック８６に接続される光ファイバケーブル７４の光ファイバ芯線７４ａに対向してレーザダイオード９４を備える。このレーザダイオード９４は発光手段の一例で、光ファイバケーブル７４の光ファイバ芯線７４ａに入射する信号光を出力する。
【０１９２】
また、光通信装置７２は、レーザダイオード９４を駆動する図示しない駆動回路を備え、この駆動回路を制御してレーザダイオード９４の発光を制御する出力制御部９５を備える。出力制御部９５は制御手段の一例で、モニタ９０で第１の検出回路８３の通電状態を監視して、例えば抵抗の変化を検出した場合に、レーザダイオード９４の出力を制御する。
【０１９３】
さらに、光通信装置７２は、ジャック８６に接続される光ファイバケーブル７４の光ファイバ芯線７４ｂに対向してフォトダイオード９６を備える。このフォトダイオード９６は受光手段の一例で、光ファイバケーブル７４の光ファイバ芯線７４ｂから出射する信号光を入力する。
【０１９４】
同様に、光通信装置７３は、ジャック８７に接続される光ファイバケーブル７４の光ファイバ芯線７４ｂに対向してレーザダイオード９７を備える。このレーザダイオード９７は発光手段の一例で、光ファイバケーブル７４の光ファイバ芯線７４ｂに入射する信号光を出力する。
【０１９５】
また、光通信装置７３は、レーザダイオード９７を駆動する図示しない駆動回路を備え、この駆動回路を制御してレーザダイオード９７の発光を制御する出力制御部９８を備える。出力制御部９８は制御手段の一例で、モニタ９３で第２の検出回路８４の通電状態を監視して、例えば抵抗の変化を検出した場合に、レーザダイオード９７の出力を制御する。
【０１９６】
さらに、光通信装置７３は、ジャック８７に接続される光ファイバケーブル７４の光ファイバ芯線７４ａに対向してフォトダイオード９９を備える。このフォトダイオード９９は受光手段の一例で、光ファイバケーブル７４の光ファイバ芯線７４ａから出射する信号光を入力する。
【０１９７】
図１５は第４の実施の形態の光通信システムの動作例を示す概念図で、以下に第４の実施の形態の光通信システム７１の動作について説明する。まず、図１２に示すように、光通信装置７２のジャック８６に光ファイバケーブル７４の一方のプラグ８５ａを挿入し、光通信装置７３のジャック８７に光ファイバケーブル７４の他方のプラグ８５ｂを挿入する。これにより、光通信装置７２と光通信装置７３が光ファイバケーブル７４で接続された光通信システム７１が構成される。
【０１９８】
光通信システム７１では、光通信装置７２に電気信号が入力されると、この電気信号はレーザダイオード９４により光に変換され、このレーザダイオード９４から出力される。光通信装置７２のレーザダイオード９４から出力された信号光は、光ファイバケーブル７４の光ファイバ芯線７４ａを伝搬されて、光通信装置７３のフォトダイオード９９に入力する。そして、信号光はフォトダイオード９９で電気信号に変換されて、光通信装置７３の外部へ出力される。
【０１９９】
光通信装置７３に電気信号が入力されると、この電気信号はレーザダイオード９７により光に変換され、このレーザダイオード９７から出力される。光通信装置７３のレーザダイオード９７から出力された信号光は、光ファイバケーブル７４の光ファイバ芯線７４ｂを伝搬されて、光通信装置７２のフォトダイオード９６に入力する。そして、信号光はフォトダイオード９６で電気信号に変換されて、光通信装置７２の外部へ出力される。
【０２００】
このように、第４の実施の形態の光通信システム７１では、光通信装置７２と光通信装置７３の間で多芯双方向光通信が実現される。
【０２０１】
この光通信システム７１では、光通信装置７２の出力側通電回路７９と光通信装置７３の入力側通電回路８１が、光ファイバケーブル７４の通電線７５および通電線７６と接続して第１の検出回路８３が構成される。また、光通信装置７２の入力側通電回路８０と光通信装置７３の出力側通電回路８２が、光ファイバケーブル７４の通電線７６および通電線７７と接続して第２の検出回路８４が構成される。
【０２０２】
そして、第１の検出回路８３の通電状態を、光通信装置７２の出力側通電回路７９に設けたモニタ９０で監視して、レーザダイオード９４の発光を制御する。また、第２の検出回路８４の通電状態を、光通信装置７３の出力側通電回路８２に設けたモニタ９３で監視して、レーザダイオード９７の発光を制御する。
【０２０３】
第１の検出回路８３では、出力側通電回路７９と入力側通電回路８１が通電線７５および通電線７６を介して接続されることで、光通信装置７２に設けたモニタ９０に、インピーダンス８８とインピーダンス８９の両方が接続される形態となる。
【０２０４】
このように、光通信装置７２と光通信装置７３が光ファイバケーブル７４で正常に接続されている状態では、出力側通電回路７９と入力側通電回路８１が接続していることにより、第１の検出回路８３の抵抗値は、インピーダンス８８（Ｚ１）とインピーダンス８９（Ｚ２）の並列抵抗値となる。
【０２０５】
これにより、モニタ９０では、第１の検出回路８３の抵抗値がインピーダンス８８（Ｚ１）とインピーダンス８９（Ｚ２）による並列抵抗値である場合を、第１の検出回路８３の正常な通電状態として認識する。なお、第１の検出回路８３の電圧値あるいは電流値が、この並列抵抗値に相当する値である場合を、第１の検出回路８３の正常な通電状態として認識することとしてもよい。以下の説明では、抵抗値を監視することとする。
【０２０６】
第２の検出回路８４では、入力側通電回路８０と出力側通電回路８２が通電線７６および通電線７７を介して接続されることで、光通信装置７３に設けたモニタ９３に、インピーダンス９１とインピーダンス９２の両方が接続される形態となる。
【０２０７】
このように、光通信装置７２と光通信装置７３が光ファイバケーブル７４で正常に接続されている状態では、入力側通電回路８０と出力側通電回路８２が接続していることにより、第２の検出回路８４の抵抗値は、インピーダンス９１（Ｚ１）とインピーダンス９２（Ｚ２）の並列抵抗値となる。
【０２０８】
これにより、モニタ９３では、第２の検出回路８４の抵抗値がインピーダンス９１（Ｚ１）とインピーダンス９２（Ｚ２）による並列抵抗値である場合を、第２の検出回路８４の正常な通電状態として認識する。
【０２０９】
図１５（ａ）に示すように、光通信装置７２から光ファイバケーブル７４が脱抜すると、ジャック８６からプラグ８５ａが抜けることで、ジャック８６側の端子７９ａとプラグ８５ａ側の端子７５ａが離れるとともに、ジャック８６側の端子７９ｂとプラグ８５ａ側の端子７６ａが離れる。
【０２１０】
これにより、出力側通電回路７９と通電線７５および通電線７６が電気的に切り離される。すなわち、出力側通電回路７９と入力側通電回路８１が電気的に切り離された形態となる。
【０２１１】
また、ジャック８６からプラグ８５ａが抜けることで、ジャック８６側の端子８０ｂとプラグ８５ａ側の端子７７ａが離れる。これにより、入力側通電回路８０と通電線７６および通電線７７が電気的に切り離される。すなわち、入力側通電回路８０と出力側通電回路８２が電気的に切り離された形態となる。
【０２１２】
このように、光通信装置７２から光ファイバケーブル７４が脱抜すると、光通信装置７２に備えたモニタ９０には出力側通電回路７９のインピーダンス８８（Ｚ１）のみが接続されることになる。したがって、光通信装置７２では、モニタ９０により抵抗値の増加が検出される。
【０２１３】
これにより、光通信装置７２では、出力制御部９５がレーザダイオード９４の発光を停止する。あるいはレーザダイオード９４の発光量を所定値以下に抑制する。
【０２１４】
また、光通信装置７２から光ファイバケーブル７４が脱抜すると、光通信装置７３に備えたモニタ９３には出力側通電回路８２のインピーダンス９２（Ｚ２）のみが接続されることになる。したがって、光通信装置７３では、モニタ９３により抵抗値の増加が検出される。
【０２１５】
これにより、光通信装置７３では、出力制御部９８がレーザダイオード９７の発光を停止する。あるいはレーザダイオード９７の発光量を所定値以下に抑制する。
【０２１６】
以上のように、第４の実施の形態の光通信システム７１では、多芯双方向光通信を行うシステムで、一方の光通信装置７２から光ファイバケーブル７４が脱抜した場合に、光ファイバケーブル７４が抜けた光通信装置７２のレーザダイオード９４の発光を停止等させることができるだけでなく、他方の光通信装置７３のレーザダイオード９７の発光も停止させることができる。
【０２１７】
図１５（ｂ）に示すように、光通信装置７３から光ファイバケーブル７４が脱抜した場合も、同様の制御が行われる。すなわち、光通信装置７３から光ファイバケーブル７４が脱抜すると、ジャック８７からプラグ８５ｂが抜けることで、ジャック８７側の端子８１ａとプラグ８５ｂ側の端子７５ｂが離れ、ジャック８７側の端子８１ｂとプラグ８５ｂ側の端子７６ｂが離れ、ジャック８７側の端子８２ｂとプラグ８５ｂ側の端子７７ｂが離れる。
【０２１８】
これにより、出力側通電回路８２と通電線７６および通電線７７が電気的に切り離され、出力側通電回路８２と入力側通電回路８０が電気的に切り離された形態となる。また、入力側通電回路８１と通電線７５および通電線７６が電気的に切り離され、出力側通電回路７９と入力側通電回路８１が電気的に切り離された形態となる。
【０２１９】
このように、光通信装置７３から光ファイバケーブル７４が脱抜すると、光通信装置７３のモニタ９３には出力側通電回路８２のインピーダンス９２（Ｚ２）のみが接続されることになる。したがって、光通信装置７３では、モニタ９３により抵抗値の増加が検出される。
【０２２０】
これにより、光通信装置７３では、出力制御部９８がレーザダイオード９７の発光を停止する。あるいはレーザダイオード９７の発光量を所定値以下に抑制する。
【０２２１】
また、光通信装置７３から光ファイバケーブル７４が脱抜すると、出力側通電回路７９と入力側通電回路８１が電気的に切り離されることで、光通信装置７２のモニタ９０には、出力側通電回路７９のインピーダンス８８（Ｚ１）のみが接続されることになる。したがって、光通信装置７２においてもモニタ９０により抵抗値の増加が検出される。
【０２２２】
これにより、光通信装置７２では、出力制御部９５がレーザダイオード９４の発光を停止する。あるいはレーザダイオード９４の発光量を所定値以下に抑制する。
【０２２３】
以上のように、他方の光通信装置７３から光ファイバケーブル７４が脱抜した場合に、光ファイバケーブル７４が抜けた光通信装置７３のレーザダイオード９７の発光を停止等させることができるだけでなく、一方の光通信装置７２のレーザダイオード９４の発光も停止させることができる。
【０２２４】
さらに、図１５（ｃ）に示すように、光ファイバケーブル７４が断線すると、通電線７５、通電線７６および通電線７７が切断されることになり、出力側通電回路７９と入力側通電回路８１が電気的に切り離された形態となるとともに、出力側通電回路８２と入力側通電回路８０が電気的に切り離された形態となる。
【０２２５】
よって、光ファイバケーブル７４が断線した場合も、光通信装置７２のモニタ９０には出力側通電回路７９のインピーダンス８８（Ｚ１）のみが接続されることになり、モニタ９０では抵抗値の増加を検出する。また、光通信装置７３のモニタ９３には出力側通電回路８２のインピーダンス９２（Ｚ２）のみが接続されることになり、モニタ９３では抵抗値の増加を検出する。
【０２２６】
これにより、光通信装置７２では、出力制御部９５がレーザダイオード９４の発光を停止する。あるいは発光量を所定値以下に抑制する。また、光通信装置７３では、出力制御部９８がレーザダイオード９７の発光を停止する。あるいは発光量を所定値以下に抑制する。
【０２２７】
以上のように、第４の実施の形態の光通信システム７１では、光ファイバケーブル７４が光通信装置７２から脱抜した場合、光ファイバケーブル７４が光通信装置７３から脱抜した場合、そして光ファイバケーブル７４が断線した場合のいずれであっても、光通信装置７２のレーザダイオード９４の発光を停止あるいは発光量を抑制することができる。また、光通信装置７３のレーザダイオード９７の発光も停止あるいは発光量を抑制することができる。
【０２２８】
これにより、光ファイバケーブル７４が脱抜した場合や断線した場合に、レーザ光の漏洩を防いで安全性を高めることができる。また、通信ができない状態となったときにはレーザダイオード９４およびレーザダイオード９７の発光が停止等されることになり、消費電力を抑えることができる。
【０２２９】
そして、第１の検出回路８３と第２の検出回路８４で通電線７６を共有したことで、第３の実施の形態の光通信システムに対して通電線の本数を減らし、コスト低減を図ることができる。
【０２３０】
なお、上述した各実施の形態では、発光手段の一例としてレーザダイオードを用いた例を説明したが、本発明は、発光ダイオード等の他の発光素子を用いる光通信装置にも適用できる。また、検出回路の構成は一例であり、光ファイバケーブルの脱抜や断線により、回路の抵抗等が変化するような構成であればよい。
【０２３１】
図１６〜図１８は光ファイバケーブルの構成例を示す断面図であり、以下に光ファイバケーブルの実施の形態の形態、特に通電線の配置について説明する。ここで、図１６は第１の実施の形態および第２の実施の形態の光通信システムで用いられる光ファイバケーブル４の構成例を示す。
【０２３２】
図１６（ａ）〜図１６（ｅ）は光ファイバケーブル４の被覆材４ｂの断面形状を矩形とした例である。図１６（ａ）は、１本の光ファイバ芯線４ａの両側に、線状の通電線５および通電線６を設けたものであり、通電線５および通電線６は、図３等に示すように、光ファイバ芯線４ａに沿って設けられる。
【０２３３】
図１６（ｂ）および図１６（ｃ）は、１本の光ファイバ芯線４ａに対して同心状に２本の通電線５および通電線６を囲むように設けたものである。２本の通電線５および通電線６のうち、外側に位置する通電線、例えば通電線６は、図１６（ｂ）に示すように被覆材４ｂの内部に設けられる形態でもよいし、図１６（ｃ）に示すように被覆材４ｂの表面に設けられる形態でもよい。通電線５および通電線６の断面形状は、被覆材４ｂの形状に合わせて矩形とする。
【０２３４】
図１６（ｄ）および図１６（ｅ）は、被覆材４ｂの表面に帯状の通電線５および通電線６を設けたものである。通電線５と通電線６は絶縁されている必要があるので、断面形状が矩形の被覆材４ｂの対向する面に通電線５と通電線６を設ける。ここで、被覆材の表面に通電線を設ける構成では、テープ状の通電部材を被覆材に粘着させるような形態も考えられる。
【０２３５】
図１６（ｆ）〜図１６（ｊ）は光ファイバケーブル４の被覆材４ｂの断面形状を円形とした例である。図１６（ｆ）および図１６（ｇ）は、１本の光ファイバ芯線４ａの両側に、線状の通電線５および通電線６を設けたものである。被覆材４ｂの断面形状としては、図１６（ｆ）に示すような楕円形でもよいし、図１６（ｇ）に示すような円形でもよい。
【０２３６】
図１６（ｈ）および図１６（ｉ）は、１本の光ファイバ芯線４ａに対して同心状に２本の通電線５および通電線６を囲むように設けたものである。２本の通電線５および通電線６のうち、外側に位置する通電線、例えば通電線６は、図１６（ｈ）に示すように被覆材４ｂの内部に設けられる形態でもよいし、図１６（ｉ）に示すように被覆材４ｂの表面に設けられる形態でもよい。通電線５および通電線６の断面形状は、被覆材４ｂの形状に合わせて円形とする。
【０２３７】
図１６（ｊ）は、被覆材４ｂの表面に帯状の通電線５および通電線６を設けたものである。通電線５と通電線６は互いが絶縁されるように、隙間を空けて設ける。
【０２３８】
図１７は第３の実施の形態の光通信システムで用いられる光ファイバケーブル４４の構成例を示す。図１７（ａ）〜図１７（ｅ）は光ファイバケーブル４４の被覆材４４ｃの断面形状を矩形とした例である。図１７（ａ）は、光ファイバ芯線４４ａの両側に、線状の通電線４５および通電線４６を設けるとともに、光ファイバ芯線４４ｂの両側に、線状の通電線４７および４８を設けたものであり、通電線４５、通電線４６、通電線４７および通電線４８は、図１０等に示すように、光ファイバ芯線４４ａおよび光ファイバ芯線４４ｂに沿って設けられる。
【０２３９】
図１７（ｂ）および図１７（ｃ）は、光ファイバ芯線４４ａに対して同心状に２本の通電線４５および通電線４６を囲むように設けるとともに、ファイバ芯線４４ｂに対して同心状に２本の通電線４７および通電線４８を囲むように設けたものである。２本の通電線４５および通電線４６のうち、外側に位置する通電線、例えば通電線４６と、２本の通電線４７および通電線４８のうち、外側に位置する通電線、例えば通電線４８は、図１７（ｂ）に示すように被覆材４４ｃの内部に設けられる形態でもよいし、図１７（ｃ）に示すように一部が被覆材４４ｃの表面に設けられる形態でもよい。通電線４５、通電線４６、通電線４７および通電線４８の断面形状は、被覆材４４ｃの形状に合わせて矩形とする。
【０２４０】
図１７（ｄ）および図１７（ｅ）は、被覆材４４ｃの表面に帯状の通電線４５、通電線４６、通電線４７および通電線４８を設けたものである。例えば、図１７（ｄ）に示すように、矩形の被覆材４４ｃの対向する面に２枚ずつの通電線を互いが絶縁されるように設ける形態でもよいし、図１７（ｅ）に示すように、矩形の被覆材４４ｃの各面にそれぞれ通電線を設ける形態としてもよい。
【０２４１】
図１７（ｆ）〜図１７（ｊ）は光ファイバケーブル４４の被覆材４４ｃの断面形状を円形とした例である。図１７（ｆ）および図１７（ｇ）は、光ファイバ芯線４４ａおよび光ファイバ芯線４４ｂの周囲に、線状の通電線４５、通電線４６、通電線４７および通電線４８を設けたものである。被覆材４４ｃの断面形状としては、図１７（ｆ）に示すような楕円形でもよいし、図１７（ｇ）に示すような円形でもよい。
【０２４２】
図１７（ｈ）および図１７（ｉ）は、光ファイバ芯線４４ａおよび光ファイバ芯線４４ｂに対して同心状に４本の通電線４５、通電線４６、通電線４７および通電線４８を囲むように設けたものである。複数の通電線のうち、最も外側に位置する通電線、例えば通電線４８は、図１７（ｈ）に示すように被覆材４４ｃの内部に設けられる形態でもよいし、図１７（ｉ）に示すように被覆材４４ｃの表面に設けられる形態でもよい。通電線４５、通電線４６、通電線４７および通電線４８の断面形状は、被覆材４４ｃの形状に合わせて円形とする。
【０２４３】
図１７（ｊ）は、被覆材４４ｃの表面に帯状の通電線４５、通電線４６、通電線４７および通電線４８を設けたものである。各通電線は互いが絶縁されるように隙間を空けて設ける。
【０２４４】
図１８は第４の実施の形態の光通信システムで用いられる光ファイバケーブル７４の構成例を示す。図１８（ａ）〜図１８（ｅ）は光ファイバケーブル７４の被覆材７４ｃの断面形状を矩形とした例である。図１８（ａ）は、光ファイバ芯線７４ａと光ファイバ芯線７４ｂの並び方向に沿って線状の通電線７５、通電線７６および通電線７７を設けたものであり、通電線７５、通電線７６および通電線７７は、図１４等に示すように、光ファイバ芯線７４ａおよび光ファイバ芯線７４ｂに沿って設けられる。
【０２４５】
図１８（ｂ）および図１８（ｃ）は、光ファイバ芯線７４ａに対して同心状に通電線７５を囲むように設け、ファイバ芯線７４ｂに対して同心状に通電線７６を囲むように設け、これら通電線７５および通電線７６を囲むように通電線７７を設けたものである。外側に位置する通電線７７は、図１８（ｂ）に示すように被覆材７４ｃの内部に設けられる形態でもよいし、図１８（ｃ）に示すように被覆材７４ｃの表面に設けられる形態でもよい。通電線７５、通電線７６および通電線７７の断面形状は、被覆材７４ｃの形状に合わせて矩形とする。
【０２４６】
図１８（ｄ）は、被覆材７４ｃの表面と内側に帯状の通電線７５、通電線７６および通電線７７を設けたものである。例えば、矩形の被覆材７４ｃの対向する面に通電線７５と通電線７６を設け、光ファイバ芯線７４ａと光ファイバ芯線７４ｂの間に通電線７７を設ける。
【０２４７】
図１８（ｅ）は、被覆材７４ｃの表面に帯状の通電線７５、通電線７６および通電線７７を設けたものである。例えば、矩形の被覆材７４ｃの３面に、互いが絶縁されるように隙間を空けて通電線７５、通電線７６および通電線７７を設ける。
【０２４８】
図１８（ｆ）〜図１８（ｊ）は光ファイバケーブル７４の被覆材７４ｃの断面形状を円形とした例である。図１８（ｆ）および図１８（ｇ）は、光ファイバ芯線７４ａおよび光ファイバ芯線７４ｂの周囲に、線状の通電線７５、通電線７６および通電線７７を設けたものである。被覆材７４ｃの断面形状としては、図１８（ｆ）に示すような楕円形でもよいし、図１８（ｇ）に示すような円形でもよい。
【０２４９】
図１８（ｈ）および図１８（ｉ）は、光ファイバ芯線７４ａおよび光ファイバ芯線７４ｂに対して同心状に３本の通電線７５、通電線７６および通電線７７を囲むように設けたものである。複数の通電線のうち、最も外側に位置する通電線、例えば通電線７７は、図１８（ｈ）に示すように被覆材７４ｃの内部に設けられる形態でもよいし、図１８（ｉ）に示すように被覆材７４ｃの表面に設けられる形態でもよい。通電線７５、通電線７６および通電線７７の断面形状は、被覆材７４ｃの形状に合わせて円形とする。
【０２５０】
図１８（ｊ）は、被覆材７４ｃの表面に帯状の通電線７５、通電線７６および通電線７７を設けたものである。各通電線は互いが絶縁されるように隙間を空けて設ける。
【０２５１】
【発明の効果】
以上説明したように、本発明は、光ケーブルに装置間通電手段を備えるとともに、光通信装置に装置間通電手段と接続される内部通電手段を備えることで、光通信装置間を光ケーブルで接続した光通信システムでは、内部通電手段同士が装置間通電手段を介して接続された検出回路を構成することができる。
【０２５２】
そして、この検出回路の通電状態を監視する監視手段およびこの監視手段の監視結果に基づいて発光手段の出力を制御する制御手段を、発光手段を有する光通信装置に備えることで、光ケーブルの脱抜および光ケーブルの断線を検出して、発光手段の出力を制御することができる。
【０２５３】
したがって、光信号を出力する側の光通信装置から光ケーブルが脱抜した場合だけでなく、光信号を入力する側の光通信装置から光ケーブルが脱抜した場合や光ケーブルが断線した場合も、発光の停止あるいは発光量を抑制することができる。よって、本発明の光通信システムでは、光ケーブルが脱抜した光通信装置や光ケーブルの断線箇所からの光の漏洩を防ぐことができ、安全性が向上するとともに、通信が出来ない状態となると発光が停止あるいは抑制されることから、消費電力を抑えることができる。
【図面の簡単な説明】
【図１】第１の実施の形態の光通信システムの構成例を示す概念図である。
【図２】第１の実施の形態の光通信システムを構成する光通信装置の構成例を示す概念図である。
【図３】第１の実施の形態の光通信システムを構成する光ファイバケーブルの構成例を示す概念図である。
【図４】第１の実施の形態の光通信システムの動作例を示す概念図である。
【図５】第２の実施の形態の光通信システムの構成例を示す概念図である。
【図６】第２の実施の形態の光通信システムを構成する光通信装置の構成例を示す概念図である。
【図７】第２の実施の形態の光通信システムの動作例を示す概念図である。
【図８】第３の実施の形態の光通信システムの構成例を示す概念図である。
【図９】第３の実施の形態の光通信システムを構成する光通信装置の構成例を示す概念図である。
【図１０】第３の実施の形態の光通信システムを構成する光ファイバケーブルの構成例を示す概念図である。
【図１１】第３の実施の形態の光通信システムの動作例を示す概念図である。
【図１２】第４の実施の形態の光通信システムの構成例を示す概念図である。
【図１３】第４の実施の形態の光通信システムを構成する光通信装置の構成例を示す概念図である。
【図１４】第４の実施の形態の光通信システムを構成する光ファイバケーブルの構成例を示す概念図である。
【図１５】第４の実施の形態の光通信システムの動作例を示す概念図である。
【図１６】光ファイバケーブルの構成例を示す断面図である。
【図１７】光ファイバケーブルの構成例を示す断面図である。
【図１８】光ファイバケーブルの構成例を示す断面図である。
【図１９】従来の光通信システムの構成例を示す概念図である。
【図２０】従来の光通信システムの構成例を示す概念図である。
【符号の説明】
１・・・光通信システム、２・・・光通信装置、３・・・光通信装置、４・・・光ファイバケーブル、４ａ・・・光ファイバ芯線、５・・・通電線、６・・・通電線、７・・・出力側通電回路、８・・・入力側通電回路、９・・・検出回路、１３・・・インピーダンス、１４・・・インピーダンス、１５・・・モニタ、１６・・・レーザダイオード、１７・・・出力制御部、１８・・・フォトダイオード、２１・・・光通信システム、２２・・・光通信装置、２３・・・光通信装置、２４・・・出力側通電回路、２５・・・出力側通電回路、２６・・・検出回路、２９・・・インピーダンス、３０・・・インピーダンス、３１・・・モニタ、３２・・・モニタ、３３・・・レーザダイオード、３４・・・出力制御部、３５・・・フォトダイオード、３６・・・レーザダイオード、３７・・・出力制御部、３８・・・フォトダイオード、４１・・・光通信システム、４２・・・光通信装置、４３・・・光通信装置、４４・・・光ファイバケーブル、４４ａ・・・ファイバ芯線、４４ｂ・・・ファイバ芯線、４５・・・通電線、４６・・・通電線、４７・・・通電線、４８・・・通電線、４９・・・出力側通電回路、５０・・・入力側通電回路、５１・・・入力側通電回路、５２・・・出力側通電回路、５３・・・第１の検出回路、５４・・・第２の検出回路、５８・・・インピーダンス、５９・・・インピーダンス、６０・・・モニタ、６１・・・インピーダンス、６２・・・インピーダンス、６３・・・モニタ、６４・・・レーザダイオード、６５・・・出力制御部、６６・・・フォトダイオード、６７・・・レーザダイオード、６８・・・出力制御部、６９・・・フォトダイオード、７１・・・光通信システム、７２・・・光通信装置、７３・・・光通信装置、７４・・・光ファイバケーブル、７４ａ・・・ファイバ芯線、７４ｂ・・・ファイバ芯線、７５・・・通電線、７６・・・通電線、７７・・・通電線、７９・・・出力側通電回路、８０・・・入力側通電回路、８１・・・入力側通電回路、８２・・・出力側通電回路、８３・・・第１の検出回路、８４・・・第２の検出回路、８８・・・インピーダンス、８９・・・インピーダンス、９０・・・モニタ、９１・・・インピーダンス、９２・・・インピーダンス、９３・・・モニタ、９４・・・レーザダイオード、９５・・・出力制御部、９６・・・フォトダイオード、９７・・・レーザダイオード、９８・・・出力制御部、９９・・・フォトダイオード
【図１】
2004350155.tif 000003
【図２】
2004350155.tif 000004
【図３】
2004350155.tif 000005
【図４】
2004350155.tif 000006
【図５】
2004350155.tif 000007
【図６】
2004350155.tif 000008
【図７】
2004350155.tif 000009
【図８】
2004350155.tif 000010
【図９】
2004350155.tif 000011
【図１０】
2004350155.tif 000012
【図１１】
2004350155.tif 000013
【図１２】
2004350155.tif 000014
【図１３】
2004350155.tif 000015
【図１４】
2004350155.tif 000016
【図１５】
2004350155.tif 000017
【図１６】
2004350155.tif 000018
【図１７】
2004350155.tif 000019
【図１８】
2004350155.tif 000020
【図１９】
2004350155.tif 000021
【図２０】
2004350155.tif 000022